(57)【要約】【課題】上書きによる印刷データの消去が済んでから次の印刷処理を行う場合と較べて生産性が高い印刷制御装置および印刷制御プログラムを提供する。【解決手段】記録材上に印刷される文字および画像のうち少なくとも一方である印刷内容を表し、印刷のための印刷処理が施される印刷データを記憶する記憶部と、上記記憶部に記憶された印刷データに対して上記印刷処理を施して、その印刷データが表した印刷内容に相当する印刷内容を表す処理後データを生成する印刷処理部と、上記印刷処理部に記憶されているデータのうち、上記処理後データが生成済みの印刷データについて、他の印刷データに対する上記印刷処理と並行して、データの上書きによる消去処理を行う消去処理部と、を備える。【選択図】図３
2018151916.tif 000002
【特許請求の範囲】
【請求項１】
記録材上に印刷される文字および画像のうち少なくとも一方である印刷内容を表し、印刷処理が施される印刷データを記憶する記憶部と、
前記記憶部に記憶された印刷データに対して前記印刷処理を施して、その印刷データが表した印刷内容に相当する印刷内容を表す処理後データを生成する印刷処理部と、
前記印刷処理部に記憶されているデータのうち印刷処理後のデータをゴミ箱または削除用のフォルダに移動し、その移動されたデータの記憶領域に対し、他の印刷データに対する前記印刷処理と並行してデータの上書きによる消去処理を行う消去処理部と、
を備えたことを特徴とする印刷制御装置。
【請求項２】
前記印刷データのうち前記消去処理の対象となる種類および部分の少なくとも一方を設定する対象設定部を備えたことを特徴とする請求項１に記載の印刷制御装置。
【請求項３】
前記消去処理の徹底度を設定する徹底度設定部を備えたことを特徴とする請求項１または２に記載の印刷制御装置。
【請求項４】
前記消去処理の実行時期を設定する時期設定部を備えたことを特徴とする請求項１から３のいずれか１項に記載の印刷制御装置。
【請求項５】
前記消去処理部は、前記消去処理の完了前にこの印刷制御装置が停止した場合には、装置の再稼働後にゴミ箱または削除用のフォルダ内に存在しているデータの記憶領域に対し、データの上書きによる消去処理を再開して完了させてから他の印刷データに対する前記印刷処理を実行するものであることを特徴とする請求項１から４のいずれか１項に記載の印刷制御装置。
【請求項６】
情報処理装置に組み込まれ、その情報処理装置を、
記録材上に印刷される文字および画像のうち少なくとも一方である印刷内容を表し、印刷のための印刷処理が施される印刷データを記憶する記憶部と、
前記記憶部に記憶された印刷データに対して前記印刷処理を施して、その印刷データが表した印刷内容に相当する印刷内容を表す処理後データを生成する印刷処理部と、
前記印刷処理部に記憶されているデータのうち、前記処理後データが生成済みの印刷データについて、他の印刷データに対する前記印刷処理と並行して、データの上書きによる消去処理を行う消去処理部と、
を備えた印刷制御装置として動作させることを特徴とする印刷制御プログラム。
【請求項７】
記録材上に印刷される文字および画像のうち少なくとも一方である印刷内容を表し、印刷のための印刷処理が施される印刷データを記憶する記憶部と、
前記記憶部に記憶された印刷データに対して前記印刷処理を施して、その印刷データが表した印刷内容に相当する印刷内容を表す処理後データを生成する印刷処理部と、
前記印刷処理部に記憶されているデータのうち、前記処理後データが生成済みの印刷データについて、他の印刷データに対する前記印刷処理と並行して、データの上書きによる消去処理を行う消去処理部と、
前記処理後データに従って動作することで記録材上に前記印刷内容を印刷する印刷部と、
を備えたことを特徴とする印刷システム。
【発明の詳細な説明】
【技術分野】
【０００１】
本発明は、印刷制御装置、印刷制御プログラム、および印刷システムに関する。
【背景技術】
【０００２】
従来、印刷データに対して、印刷のための画像処理やラスタライズ処理などといった印刷処理を施して印刷機に入力する印刷制御装置が知られている。このような印刷制御装置は、一般に、印刷機の制御部や印刷サーバとして実現される。
【０００３】
また、画像や文字などを取り扱う装置について、セキュリティ上の観点から、不要になったデータを、復旧が困難な形態で消去するための技術が提案されている。
【０００４】
例えば特許文献１には、画像ファイルの一部領域に無効な値を書き込むことによりファイルを破壊する技術が開示されている。
【０００５】
また、例えば特許文献２には、複数の消去手段を備え、消去対象の記憶領域を部分的に選択して消去する装置が開示されている。
【０００６】
更に、例えば特許文献３には、消去されたファイルが復旧不可能になるように、ファイルが保存された領域を含む領域にダミー値で上書きする技術が開示されている。
【先行技術文献】
【特許文献】
【０００７】
【特許文献１】特開２００６−３３８４００号公報
【特許文献２】特開２００５−３１３５６７号公報
【特許文献３】特開２０１６−１１５３４３号公報
【発明の概要】
【発明が解決しようとする課題】
【０００８】
近年は、印刷サーバ等に記憶された印刷データについてもセキュリティ上の要請で、復旧困難な形態での消去（例えば、データが記憶されていた領域に対して上書きを繰り返す処理）が求められる場合があるが、従来技術では、上述した印刷処理の終了後に消去処理が行われ、その後に次の印刷処理が行われるため生産性が低い。
【０００９】
本発明は、上書きによる印刷データの消去が済んでから次の印刷処理を行う場合と較べて、消去対象ジョブの次に処理するジョブの生産性が高い印刷制御装置および印刷制御プログラムを提供する。
【課題を解決するための手段】
【００１０】
請求項１に係る印刷制御装置は、
記録材上に印刷される文字および画像のうち少なくとも一方である印刷内容を表し、印刷のための印刷処理が施される印刷データを記憶する記憶部と、
上記記憶部に記憶された印刷データに対して上記印刷処理を施して、その印刷データが表した印刷内容に相当する印刷内容を表す処理後データを生成する印刷処理部と、
上記印刷処理部に記憶されているデータのうち印刷処理後のデータをゴミ箱または削除用のフォルダに移動し、その移動されたデータの記憶領域に対し、他の印刷データに対する上記印刷処理と並行してデータの上書きによる消去処理を行う消去処理部と、
を備えたことを特徴とする。
【００１１】
請求項２に係る印刷制御装置は、請求項１の印刷制御装置において、
上記印刷データのうち上記消去処理の対象となる種類および部分の少なくとも一方を設定する対象設定部を備えたことを特徴とする。
【００１２】
請求項３に係る印刷制御装置は、請求項１または２の印刷制御装置において、
上記消去処理の徹底度を設定する徹底度設定部を備えたことを特徴とする。
【００１３】
請求項４に係る印刷制御装置は、請求項１から３の印刷制御装置において、
上記消去処理の実行時期を設定する時期設定部を備えたことを特徴とする。
【００１４】
請求項５に係る印刷制御装置は、請求項１から４の印刷制御装置において、
上記消去処理部は、上記消去処理の完了前にこの印刷制御装置が停止した場合には、装置の再稼働後にゴミ箱または削除用のフォルダ内に存在しているデータの記憶領域に対し、データの上書きによる消去処理を再開して完了させてから他の印刷データに対する上記印刷処理を実行するものであることを特徴とする。
【００１５】
請求項６に係る印刷制御プログラムは、
情報処理装置に組み込まれ、その情報処理装置を、
記録材上に印刷される文字および画像のうち少なくとも一方である印刷内容を表し、印刷のための印刷処理が施される印刷データを記憶する記憶部と、
上記記憶部に記憶された印刷データに対して上記印刷処理を施して、その印刷データが表した印刷内容に相当する印刷内容を表す処理後データを生成する印刷処理部と、
上記印刷処理部に記憶されているデータのうち印刷処理後のデータをゴミ箱または削除用のフォルダに移動し、その移動されたデータの記憶領域に対し、他の印刷データに対する上記印刷処理と並行してデータの上書きによる消去処理を行う消去処理部と、
を備えた印刷制御装置として動作させることを特徴とする。
【００１６】
請求項７に係る印刷システムは、
記録材上に印刷される文字および画像のうち少なくとも一方である印刷内容を表し、印刷のための印刷処理が施される印刷データを記憶する記憶部と、
上記記憶部に記憶された印刷データに対して上記印刷処理を施して、その印刷データが表した印刷内容に相当する印刷内容を表す処理後データを生成する印刷処理部と、
上記印刷処理部に記憶されているデータのうち印刷処理後のデータをゴミ箱または削除用のフォルダに移動し、その移動されたデータの記憶領域に対し、他の印刷データに対する上記印刷処理と並行してデータの上書きによる消去処理を行う消去処理部と、
上記処理後データに従って動作することで記録材上に上記印刷内容を印刷する印刷部と、
を備えたことを特徴とする。
【発明の効果】
【００１７】
請求項１に係る印刷制御装置、請求項６に係る印刷制御プログラム、および請求項７に係る印刷システムによれば、上書きによる印刷データの消去が済んでから次の印刷処理を行う場合と較べて生産性が高い。
【００１８】
請求項２に係る印刷制御装置によれば、ユーザが希望する種類の印刷データが消去される。
【００１９】
請求項３に係る印刷制御装置によれば、ユーザが希望する徹底度に合わせた消去が実現される。
【００２０】
請求項４に係る印刷制御装置によれば、より生産性の高い実行時期における消去を設定する事ができる。
【００２１】
請求項５に係る印刷制御装置によれば、中断された消去処理を再開することができる。
【図面の簡単な説明】
【００２２】
【図１】本発明の印刷システムの一実施形態を示す図である。
【図２】印刷サーバの機能構造を表した機能ブロック図である。
【図３】印刷サーバにおける処理動作を示す図である。
【図４】消去モードを設定するためのモード設定手順を表したフローチャートである。
【図５】完全消去処理の設定画面を示す図である。
【図６】完全消去処理の対象を示す図である。
【図７】随時以外のタイミングで実行される完全消去処理を示す図である。
【図８】レベル設定部のメニューボックスによるレベル選択を示す図である。
【図９】停電時などの救済処理を示す図である。
【発明を実施するための形態】
【００２３】
本発明の実施形態について、以下図面を参照して説明する。
【００２４】
図１は、本発明の印刷システムの一実施形態を示す図である。
【００２５】
この印刷システム１は、印刷サーバ１０とプリンタ２０とを備え、それら印刷サーバ１０とプリンタ２０は専用ケーブル３０などによって互いに接続されている。
【００２６】
印刷サーバ１０は、本体部１０１と表示部１０２と入力部１０３とを備えている。本体部１０１は、ハードウェアとしてＣＰＵ等のマイクロプロセッサ、ランダムアクセスメモリ（ＲＡＭ）およびリードオンリメモリ（ＲＯＭ）やＨＤＤ（ハードディスク装置）等の記憶装置などを内蔵し、記憶装置にプログラムが組み込まれ、そのプログラムを読み出してＣＰＵ等のマイクロプロセッサが実行するものである。表示部１０２は、例えば液晶画面などを有し、本体部１０１の制御に従ってユーザに対して操作画面などを提示するものである。入力部１０３は、例えばキーボードやマウスなどを有し、ユーザによって操作されることで各種の情報や指示の入力を本体部１０１に入力するものである。
【００２７】
印刷サーバ１０には、プリンタ２０によって出力される出力物の画像を表すページデータが、図示を省略したＬＡＮ（Ｌｏｃａｌ  Ａｒｅａ  Ｎｅｔｗｏｒｋ）などを介して送られて来る。ページデータは、アドビシステムズ社のＰＯＳＴＳＣＲＩＰＴ（登録商標）形式（以下、この形式を「ＰＳ形式」と称する。）や、ＰＤＦ形式で表されたデータであり、画像を例えばオブジェクトの集合として表している。このようなページデータが、本発明にいう印刷データの一例に相当する。
【００２８】
プリンタ２０は、例えばオンデマンド印刷などに対応した大型のプリンタであって、用紙上に画像を描画してゆく描画内容を表した描画データ（例えばラスタデータやランレングス圧縮データ）に従って画像を用紙上に形成し、印刷物として出力する。描画データは、画像を画素の集合として表したデータであって、各画素の色を表した画素毎の画素データからなる。このような描画データは、本発明にいう処理後データの一例に相当する。
【００２９】
図１に示す印刷サーバ１０では、ＰＳ形式やＰＤＦ形式のページデータから、描画データの一種であるラスタデータを生成してプリンタ２０に送るものとする。この印刷サーバ１０が、本発明の印刷制御装置の一実施形態に相当し、プリンタ２０が、本発明にいう印刷装置の一例に相当する。
【００３０】
また、本実施形態では、情報処理装置の一例である印刷サーバ１０のハードウェアに本発明の印刷制御プログラムの一実施形態が組み込まれて実行されることにより、印刷サーバ１０が本発明の印刷制御装置の一実施形態として機能しているものとする。
【００３１】
図２は、印刷サーバ１０の機能構造を表した機能ブロック図である。この図２は、本発明の印刷制御装置の一実施形態である印刷サーバ１０の機能構造を表すとともに、発明の印刷制御プログラムの一実施形態におけるプログラム構造も表している。
【００３２】
印刷サーバ１０は、機能として、ジョブ処理部１１と、ランオブジェクト処理部１２と、ラスター処理部１３と、記憶部１４と、消去部１５と、設定部１６とを有している。
【００３３】
ジョブ処理部１１は、上述したページデータをＬＡＮなどを介して取得して記憶部１４に記憶する。記憶部１４は、本発明にいう記憶部の一例に相当し、上述したハードディスク装置によって実現されているものとする。
【００３４】
また、ジョブ処理部１１とランオブジェクト処理部１２とラスター処理部１３は、記憶部１４に記憶されているデータに対して各種の処理を施すものであり、ジョブ処理部１１とランオブジェクト処理部１２とラスター処理部１３のそれぞれが、本発明にいう印刷処理部の一例に相当する。ジョブ処理部１１、ランオブジェクト処理部１２、およびラスター処理部１３は、必要に応じて、ページデータから描画データに至る途中の中間データを生成して記憶部１４に記憶する。
【００３５】
消去部１５は、記憶部１４に記憶されているデータのうち、ジョブ処理部１１、ランオブジェクト処理部１２、およびラスター処理部１３による処理が終了したデータを消去する。消去部１５によるデータの消去は、そのデータが記憶されている領域を単に解放するのでは無く、そのデータが復旧困難となるように、ダミー値などを上書きして物理的にもデータを破壊する消去である。この消去部１５が、本発明にいう消去処理部の一例に相当する。この消去部１５による消去処理のことを、以下では完全消去処理と称する場合がある。
【００３６】
設定部１６は、消去部１５による消去処理に関する各種の設定を行うものであり、本発明にいう対象設定部の一例と、本発明にいう徹底度設定部の一例と、本発明にいう時期設定部の一例とを兼ねたものに相当する。
【００３７】
以下、このような機能構造を有する印刷サーバ１０における処理動作について説明する。
【００３８】
図３は、印刷サーバ１０における処理動作を示す図である。この図３に示す処理動作を図２も参照しながら説明する。
【００３９】
印刷サーバ１０では、まず、ＰＳ形式やＰＤＦ形式のページデータ４１がジョブ処理部１１によって取得され、ジョブ受付５１が行われてページデータ４１は記憶部１４に記憶される。また、ジョブ処理部１１は、受け付けたジョブ（ページデータ４１）に対するジョブ編集５２も行い、ジョブ編集後の第１中間データ４２を生成して記憶部１４に記憶する。更に、ジョブ処理部１１は、その第１中間データ４２に対してジョブ属性処理５３を施す。ジョブ処理部１１は、このようにジョブ受付５１、ジョブ編集５２、ジョブ属性処理５３を、本発明にいう印刷処理の一例として実行するとともに、このような印刷処理に用いられて処理後のデータが生成済みの処理前データ（例えば第１中間データ４２が生成済みのページデータ４１や、ジョブ属性処理５３が実行された後の第１中間データ４２）については、完全消去処理の対象として完全消去専用フォルダ６０に移動させる。
【００４０】
ここで、本発明にいう印刷処理は、印刷内容を変更する処理に限らず、内容は不変でデータ形式を変化する処理であってもよい。例えば、圧縮解凍処理や通信用のデータ変換処理なども、印刷のための処理であれば本発明にいう印刷処理に含まれる。
【００４１】
ランオブジェクト処理部１２は、ジョブ属性処理５３が施されたデータに対し、オブジェクトやキャッシュを生成する生成処理５４を印刷処理として施す。また、ランオブジェクト処理部１２は、生成処理５４が施されたデータに、本発明にいう印刷処理の一例として画像合成処理５５を施して第２中間データ４３を生成する。この第２中間データ４３も記憶部１４に記憶される。
【００４２】
ラスター処理部１３は、第２中間データ４３に対して、本発明にいう印刷処理の一例としてラスター化処理５６を施し、更に、カラー画像補正処理５７および多値画像圧縮処理５８も、本発明にいう印刷処理の一例として施す。ラスター処理部１３は、これらの印刷処理の結果として第３中間データ４４を生成し、その第３中間データ４４を記憶部１４に記憶させる。更に、ラスター処理部１３は、第３中間データ４４に対してビデオ伸長・出力処理５９を、本発明にいう印刷処理の一例として施してＹＭＣＫの描画データを生成し、その描画データを図１に示すプリンタ２０へと出力する。
【００４３】
ラスター化処理５６後の第２中間データ４３や、ビデオ伸長・出力処理５９後の第３中間データ４４も、完全消去処理の対象として完全消去専用フォルダ６０に移動される。
【００４４】
消去部１５は、記憶部１４に記憶されているデータのうち、完全消去専用フォルダ６０に移動されたページデータ４１、第１中間データ４２、第２中間データ４３、および第３中間データ４４について、ダミー値などを上書きする完全消去処理を実行する。消去部１５による完全消去処理は、ジョブ処理部１１、ランオブジェクト処理部１２、およびラスター処理部１３による印刷処理に並行して実行される。このような完全消去処理も印刷処理と同様に印刷サーバ１０のリソースを使う処理であるが、完全消去処理と印刷処理とでは、負荷が掛かるリソースが異なる。即ち、印刷処理では演算素子であるＣＰＵなどに大きく負荷が掛かるのに対し、完全消去処理ではハードディスクなどの記憶装置に大きく負荷が掛かる。従って、完全消去処理と印刷処理とが並行して実行されると、順次に実行される場合に較べ、全体としての実行時間が短縮されて生産性が向上することになる。
【００４５】
この完全消去処理は、生産性が高いとは言っても、システムに対して負担を掛けることに変わりは無く、セキュリティ上の要請がない場合には、通常の消去処理で記憶領域を解放する方が処理が軽い。このため、本実施形態では、ユーザの選択によって消去処理におけるモード（消去モード）が設定される。
【００４６】
図４は、消去モードを設定するためのモード設定手順を表したフローチャートである。
【００４７】
図４に示すモード設定手順は、図１に示す印刷サーバの起動時に実行される。印刷サーバのシステムが起動される（ステップＳ１０１，ステップＳ１０５）と、前回の起動時に設定されていたモードとなり（ステップＳ１０２，ステップＳ１０６）、次に、モードの設定変更を行うための変更画面（図示省略）がユーザに提示される（ステップＳ１０３，ステップＳ１０７）。この変更画面でユーザがモードの変更を指示した場合（ステップＳ１０３：「する」，ステップＳ１０７：「する」）には、印刷サーバのシステムが再起動され、上記ステップＳ１０１，ステップＳ１０５からの手順が繰り返される。
【００４８】
上述した変更画面でユーザがモードの継続を指示した場合（ステップＳ１０３：「しない」，ステップＳ１０７：「しない」）には、起動時にステップＳ１０２，ステップＳ１０６で設定されていた消去モードで消去処理が実行されることになる（ステップＳ１０４）。
【００４９】
次に、完全消去処理に対する種々の設定について説明する。
【００５０】
図５は、完全消去処理の設定画面を示す図である。
【００５１】
図２に示す設定部１６は、図１に示す表示部１０２に完全消去処理の設定画面７０を表示し、表示部１０２および操作部１０３を介してユーザによる設定操作を受ける。
【００５２】
完全消去処理の設定画面７０には、対象設定部７１と、タイミング設定部７２と、レベル設定部７３と、組み合わせ設定部７４が備えられている。
【００５３】
対象設定部７１では、図２に示す記憶部１４に記憶されたデータのうち、完全消去処理の対象となるデータが設定される。図５には、設定され得る対象として例えば「描画データ」と「印刷設定情報」と「履歴情報」が示されている。
【００５４】
図６は、完全消去処理の対象を示す図である。
【００５５】
完全消去処理の対象として設定される描画データ８１は、印刷物上に描画される文字や画像を表したデータであり、具体的には、例えば、上述したページデータを含む入力ファイル８１１や、上述した描画データに相当する出力ラスターデータ８２２などが該当する。
【００５６】
完全消去処理の対象として設定される印刷設定情報８２は、描画データと組み合わされて印刷内容を補完する情報であり、具体的には、例えば面付け設定８２１やカラープロファイル８２２などが該当する。このような印刷設定情報８２は、本発明にいう印刷データの一部を成すものであり、この印刷設定情報自体にノウハウなどが含まれている場合があるため、この印刷設定情報８２のみでも完全消去対象として設定され得る。
【００５７】
完全消去処理の対象として設定される履歴情報８３は、印刷処理が実行された履歴を表した情報であり、具体的には、例えば日時８３１とジョブＩＤ８３２と処理内容８３３とが対応付けられた情報が該当する。履歴情報８３はこの例に限定されるものではなく、日時と印刷処理に関わる情報とが対応付けられた各種の形式が採用され得る。履歴情報８３自体は本発明にいう印刷データではないが、履歴情報８３には、ＩＤや名称などといった印刷データの一部が含まれている場合がある。
【００５８】
図５に示した対象設定部７１には、図６に例示された対象のうち、完全消去処理の対象としてユーザが希望する対象を、１つあるいは複数選択するためのチェックボックス７１１が備えられている。
【００５９】
図６に例示された対象のうち、チェックボックス７１１の操作によって選択された対象は、その対象に関する印刷処理が終了した時点で完全消去専用フォルダ６０に移動され、完全消去処理によって消去される。
【００６０】
このような対象設定部７１による設定が、本発明にいう対象設定部の一例としての設定に相当する。
【００６１】
図５に示すタイミング設定部７２には、完全消去処理の実行タイミングとしてユーザが希望するタイミングを択一的に選択するためのラジオボタン７２１が備えられている。実行タイミングとして「随時」が選択された場合には、図３に示すように、完全消去専用フォルダ６０に対象のデータが移動される度に、印刷処理と並行して完全消去処理が実行される。上述したように、このような並行処理により印刷の生産性が向上するが、印刷処理の内容などによっては、並行処理を回避した方が生産性のために望ましい場合がある。そのような場合には、ユーザによるラジオボタン７２１の操作で、「随時」以外の実行タイミングが選択されることになる。
【００６２】
このようなタイミング設定部７２による設定が、本発明にいう時期設定部の一例としての設定に相当する。
【００６３】
図７は、随時以外のタイミングで実行される完全消去処理を示す図である。
【００６４】
図７に示す例では、例えばカラー画像補正処理５７などでシステムに大きな負荷を掛けるような印刷内容のデータが用いられるものとする。印刷処理が同様であっても印刷内容が異なれば大きな負荷が生じない場合がある。また、大きな負荷を生じるような印刷内容である場合には、印刷内容を表すデータの容量が大きいなどの原因で、記憶装置への負荷も大きく、完全消去処理の並行した実行は効率的でないと考えられる。
【００６５】
このような例では、ユーザによって実行タイミングとして「システム負荷軽量時」や「システム終了時」が選択される。そして、システムに対する負荷が軽い印刷処理と並行した完全消去処理８５や、印刷処理が完了した後の完全消去処理８６が実行されることになる。なお、完全消去処理の実行タイミングとして「時間指定」が選択された場合には、印刷処理の実行タイミングに関わらず、設定された時間に完全消去処理が実行される。
【００６６】
図５に示すレベル設定部７３には、完全消去処理におけるセキュリティのレベルを選択するためのメニューボックス７３１が備えられている。消去対象のデータに対するダミー値などの上書きが繰り返されるほど、データの破壊がより徹底されてデータの復旧はより困難となり、セキュリティのレベルが向上する。
【００６７】
図８は、レベル設定部７３のメニューボックス７３１によるレベル選択を示す図である。
【００６８】
レベル設定部７３のメニューボックス７３１には、現在設定されているレベルが表示される設定表示欄７３２と、レベルのメニューを表示させるメニューボタン７３３が備えられており、メニューボタン７３３が操作されるとドロップダウンメニュー７３４が表示される。
【００６９】
図８に示す例では、ドロップダウンメニュー７３４に「高」「中」「低」という３つのレベルが用意されていて、「高」レベルでは、データが記憶されているディスク領域に対する上書き処理が３回実行される。また、「中」レベルでは上書き処理が２回実行され、「低」レベルでは上書き処理が１回実行される。このようなメニューからユーザが選択したレベルが、実際の完全消去処理で採用される。
【００７０】
このようなレベル設定部７３による設定が、本発明にいう徹底度設定部の一例としての設定に相当する。
【００７１】
図５に示す組み合わせ設定部７４では、上述した対象設定部７１と、タイミング設定部７２と、レベル設定部７３とによる設定内容を組み合わせた設定が行われる。組み合わせ設定部７４には、そのような組み合わせの設定を有効化するための有効化チェックボックス７４１が備えられており、この有効化チェックボックス７４１をユーザが操作することで組み合わせ設定部７４による設定が有効となる。
【００７２】
組み合わせ設定部７４には、完全消去処理の対象をユーザが選択するためのチェックボックス７４２が備えられており、このチェックボックス７４２をユーザが操作することで、対象設定部７１での設定と同様に、完全消去処理の対象が設定される。
【００７３】
また、組み合わせ設定部７４には、完全消去処理の実行タイミングをユーザが選択するためのメニューボックス７４３が設けられており、ユーザがこのメニューボックス７４３を操作することにより、消去処理の対象毎に実行タイミングが設定される。
【００７４】
更に、組み合わせ設定部７４には、完全消去処理のセキュリティレベルをユーザが選択するためのメニューボックス７４４が設けられており、ユーザがこのメニューボックス７４４を操作することにより、消去処理の対象毎にセキュリティレベルが設定される。
【００７５】
このように、消去処理の対象毎に実行タイミングやセキュリティレベルが組み合わされて設定されることにより、対象に応じた望ましい消去処理が実行され、全体として効率の良い消去処理が実現する。
【００７６】
最後に、完全消去処理の処理中に印刷サーバ１０が停電などによって停止した場合の救済処理について説明する。
【００７７】
図９は、停電時などの救済処理を示す図である。
【００７８】
印刷サーバ１０が停電などによって停止した場合には、完全消去専用フォルダ６０に移動されたデータの一部が消去されずに残ってしまう場合がある。このように残ったデータが放置されるとセキュリティ上問題となるので、本実施形態では、印刷サーバ１０のシステム起動時に、図２に示す消去部１５が、完全消去専用フォルダ６０内を確認し、データが残っている場合には、その残っているデータに対して完全消去処理８７を実行する。これにより、セキュリティが確保される。
【００７９】
なお、上記説明では、本発明の印刷制御装置の一実施形態として印刷サーバが示されているが、本発明の印刷制御装置は、印刷機の一部として組み込まれた制御部に適用されてもよい。
【００８０】
また、上記説明では、本発明にいう消去処理部の一例として、完全消去専用フォルダ６０に移動されたデータを消去する消去部が示されているが、フォルダへの移動は、消去対象のデータを特定する一手段に過ぎず、本発明にいう消去処理部は、他の手段で特定された印刷データを消去するものであってもよい。
【符号の説明】
【００８１】
１……印刷システム、１０……印刷サーバ、２０……プリンタ、３０……専用ケーブル、１１……ジョブ処理部、１２……ランオブジェクト処理部、１３……ラスター処理部、１４……記憶部、１５……消去部、１６……設定部
【図１】
2018151916.tif 000003
【図２】
2018151916.tif 000004
【図３】
2018151916.tif 000005
【図４】
2018151916.tif 000006
【図５】
2018151916.tif 000007
【図６】
2018151916.tif 000008
【図７】
2018151916.tif 000009
【図８】
2018151916.tif 000010
【図９】
2018151916.tif 000011